(57)【要約】【課題】  ３ビーム法によるトラッキング誤差検出機能を有し、かつ小型化してもクロストークが起こりにくい光集積ユニットを提供する。【解決手段】  ３ビーム法によるトラッキング誤差検出機能を有する光集積ユニットに設けられるホログラム素子３０６ａは、サブビーム２０２ａ、２０２ｂが離間する方向に、回折方向が異なる第１領域６０１、第２領域６０２に区分され、各領域には境界線６０３に関して対称な円弧列のそれぞれ一方及び他方を用いた回折格子パタンが設けられる。各領域は、メインビーム２０１の部分ビーム２０１ａ、２０１ｂを受光素子上で重なり合う方向へ回折し、受光素子上でのビームスポット８０１ａ、８０１ｂを得る。ビームスポット８０１ａ、８０１ｂは、サブビームが離間する方向に分割された２つの半円形が重なった形状となり、従来に比べてサブビームが離間する方向に短縮される。【選択図】        図１
2007048332.tif 000002
【特許請求の範囲】
【請求項１】
光ピックアップ装置に用いられる光集積ユニットであって、
発光素子と、
前記発光素子からの入射光を、それぞれ光ディスクへ投射される、メインビームと前記メインビームを挟む２つのサブビームとに分ける回折素子と、
前記光ディスクからの前記メインビーム及び前記各サブビームそれぞれの反射光を回折するホログラム素子と、
前記メインビームの前記ホログラム素子からの回折光を受光するメインビーム受光素子と、
前記各サブビームの前記ホログラム素子からの回折光を受光するサブビーム受光素子とを備え、
前記ホログラム素子は、前記ホログラム素子上での前記メインビーム及び前記各サブビームそれぞれのビームスポットを前記各サブビームが離間する方向に分割する境界線で、回折方向が異なる第１領域及び第２領域に区分され、
前記第１領域及び前記第２領域には、それぞれの領域からの前記メインビームの回折光の前記メインビーム受光素子上でのビームスポットが重なると共に、それぞれの領域からの前記サブビームの回折光の前記サブビーム受光素子上でのビームスポットが重なるように、回折格子パタンが設けられる
ことを特徴とする光集積ユニット。
【請求項２】
前記第１領域及び前記第２領域には、それぞれ前記境界線に関して対称な円弧列の一方及び他方を用いた回折格子パタンが設けられる
ことを特徴とする請求項１に記載の光集積ユニット。
【請求項３】
前記第１領域及び前記第２領域には、それぞれ２つの同一半径の円弧列の一方及び他方で表される回折格子パタンが設けられ、前記各円弧列に含まれる対応円弧は前記境界線に関して対称である
ことを特徴とする請求項２に記載の光集積ユニット。
【請求項４】
前記第１領域及び前記第２領域には、それぞれ２つの同心の円弧列の一方及び他方で表される回折格子パタンが設けられ、前記各円弧列に含まれる対応円弧は前記境界線に関して対称である
ことを特徴とする請求項２に記載の光集積ユニット。
【請求項５】
前記境界線は、前記各サブビームが離間する方向に垂直に定められる
ことを特徴とする請求項１に記載の光集積ユニット。
【請求項６】
前記境界線は、前記光ディスクのラジアル方向に定められる
ことを特徴とする請求項１に記載の光集積ユニット。
【請求項７】
前記光集積ユニットは、スポットサイズディテクション法によるフォーカスエラー検出信号を出力する
ことを特徴とする請求項１に記載の光集積ユニット。
【請求項８】
前記光集積ユニットは、３ビーム法によるトラッキングエラー検出信号を出力する
ことを特徴とする請求項１に記載の光集積ユニット。
【発明の詳細な説明】
【技術分野】
【０００１】
本発明は、光ピックアップ装置に用いられる光集積ユニットに関し、特に３ビーム法によるトラッキング誤差検出を行う光集積ユニットにおいて、小型化してもクロストークを起こりにくくする技術に関する。
【背景技術】
【０００２】
従来、ＣＤ（Compact Disk）、ＤＶＤ（Digital Versatile Disk）等の光情報記録媒体（以降、単に光ディスクと言う）に情報を記録、再生する光ディスクドライブ装置の光学系に、光ピックアップ装置が用いられている。また、光ピックアップ装置を構成するいくつかの部品を集積化した光集積ユニットが開発、実用化され（例えば、非特許文献１を参照）、光ピックアップ装置の組み立て及び調整の容易化、並びに小型化に貢献している。
【０００３】
図６は、典型的な光集積ユニット３００を用いた光学系の一例を示す模式図である。この光学系は、発光素子３０２、及び受光素子３０３ａ、３０３ｂが設けられた半導体基板３０１、表裏面にそれぞれ回折素子３０５、及びホログラム素子３０６が設けられた回折及びホログラム素子３０４、並びにレンズ３０７から構成される。説明のため、この光学系と共に、光ディスク３０８が示される。
【０００４】
光集積ユニット３００は、半導体基板３０１、回折及びホログラム素子３０４を集積し、スポットサイズディテクション法によるフォーカスエラー検出機能、及び３ビーム法によるトラッキングエラー検出機能を有する。
【０００５】
この光学系において、回折素子３０５は、発光素子３０２からの入射光をメインビームとメインビームを挟む２つのサブビームとに分け、レンズ３０７は、メインビーム及び各サブビームそれぞれを光ディスク３０８上の所定の位置に集光し、ホログラム素子３０６は、光ディスク３０８からのメインビーム及び各サブビームそれぞれの反射光を＋１次回折光３０９ａと−１次回折光３０９ｂとに分け、それぞれ受光素子３０３ａ、３０３ｂへ投射する。
【０００６】
図示されるＸＹＺ方向は、それぞれ光ディスク３０８のラジアル方向、タンジェンシャル方向、ディスク面に垂直方向を表し、以下の説明でも同様とする。
【０００７】
前述した各サブビームは、Ｙ方向からトラッキングエラー検出用の小角度ずれた方向、つまり大まかに言えば紙面の手前と奥とに離間するが、図６には示されない。
【０００８】
図７は、図６に示される光学系をＸ方向から見た模式図である。図７には、メインビームが実線で示され、サブビームの一つが破線で示される。サブビームは、見かけの発光点３１０から出射した光に見える。
【０００９】
ｆ１は、レンズ３０７から光ディスク３０８までの距離であり、ｆ２は、レンズ３０７から発光素子３０２までの距離である。また、ｌ１は、光ディスク３０８上でのメインビーム及びサブビームそれぞれのビームスポットの中心間の距離であり、ｌ２は、メインビームの発光点３０２及びサブビームのみかけの発光点３１０の離間である。受光素子上でのメインビーム及びサブビームそれぞれの回折光のビームスポットの中心間の距離は、ほぼｌ２となる。ここで、ｌ１：ｌ２＝ｆ１：ｆ２の関係があることに注意する。
【００１０】
図８は、光ディスク上でのメインビームのビームスポット５０１、及び各サブビームのビームスポット５０２ａ、５０２ｂの配置を示す図である。説明のため、光ディスクのトラック５０３ａ、５０３ｂ、５０３ｃが示される。ビームスポット５０２ａは、一例として、ビームスポット５０１からＹ方向にｌ１、Ｘ方向にトラックの中心からトラック周期の１／４離れた位置に配置される。ビームスポット５０２ｂについても同様である。
【００１１】
図９は、ホログラム素子３０６に設けられる回折格子パタン２０３の一例を示す図である。参考のため、ホログラム素子３０６上でのメインビームのビームスポット２０１、及び各サブビームのビームスポット２０２ａ、２０２ｂの配置が示される。
【００１２】
回折格子パタン２０３は、＋１次回折光と−１次回折光とに収差を発生させるレンズ機能を持つように定められる。これにより、オンフォーカスの状態では、図６に例示されるように、＋１次回折光３０９ａの焦点は受光素子３０３ａの手前にあり、−１次回折光３０９ｂの焦点は受光素子３０３ｂの背後にある。
【００１３】
図１０及び図１１は、それぞれオンフォーカス状態及びデフォーカス状態における、受光素子３０３ａ、３０３ｂ上でのメインビームの回折光のビームスポット４０１、及び各サブビームそれぞれの回折光のビームスポット４０２ａ、４０２ｂを示す図である。参考のため、メインビームの発光点３０２及び各サブビームの見かけの発光点３１０ａ、３１０ｂが示される。
【００１４】
受光素子３０３ａ、３０３ｂはそれぞれ、個別に光を検出可能な５つのフォトダイオードＰＤ１〜ＰＤ５、ＰＤ６〜ＰＤ１０からなる。フォトダイオードＰＤ２〜ＰＤ４は、メインビームの＋１次回折光を受光し、フォトダイオードＰＤ７〜ＰＤ９は、メインビームの−１次回折光を受光する。また、フォトダイオードＰＤ１、ＰＤ５は、サブビームの＋１次回折光を受光し、フォトダイオードＰＤ６、ＰＤ１０は、サブビームの−１次回折光を受光する。すなわち、ここでフォトダイオードＰＤ２〜ＰＤ４、ＰＤ７〜ＰＤ９が、メインビーム受光素子であり、フォトダイオードＰＤ１、ＰＤ５、ＰＤ６、ＰＤ１０が、サブビーム受光素子である。
【００１５】
図１０に示されるオンフォーカス状態では、各ビームスポットの直径は均等に２ｒであり、Ｙ方向の離間はｌ２である。光ディスク３０８の光集積ユニット３００に対するＺ方向の相対位置が変動すると、＋１次回折光及び−１次回折光それぞれのビームスポットの一方が大きくなると共に他方が小さくなり、図１１に示されるデフォーカス状態となる。
【００１６】
光集積ユニット３００は、デフォーカスによってスポットサイズに不均衡が生じることを利用するスポットサイズディテクション法に基づいて、次の演算
ＦＥ＝（ＰＤ３＋ＰＤ７＋ＰＤ９）−（ＰＤ２＋ＰＤ４＋ＰＤ８）
ここで、ＰＤｎは同じ符号で表されるフォトダイオードから得られる信号の大きさ
を、図示しない演算回路で、行うことによってフォーカスエラー検出信号ＦＥを得て、外部へ出力する。
【００１７】
また、光集積ユニット３００は、トラッキングがずれた場合に、ずれ方向及びずれ量に応じてサブビーム２０２ａ及び２０２ｂのうち一方の光量が増加し他方の光量が減少することを利用する３ビーム法に基づき、次の演算
ＴＥ＝（ＰＤ１＋ＰＤ６）−（ＰＤ５＋ＰＤ１０）
ここで、ＰＤｎは同じ符号で表されるフォトダイオードから得られる信号の大きさ
を、図示しない演算回路で、行うことによってトラッキングエラー検出信号ＴＥを得て、外部へ出力する。
【００１８】
そして、このようにして出力されるフォーカスエラー検出信号ＦＥ、及びトラッキングエラー検出信号ＴＥをキャンセルするように、光集積ユニットの外部に設けられるアクチュエータ（不図示）が、光ディスク３０８の所望のトラックと光集積ユニット３００との相対的な位置を調整する。
【００１９】
その結果、光ディスク３０８への情報の記録、再生が良好に行われる。
【非特許文献１】河内泰之他、「光ディスク用ホログラムユニット」National Technical Report Vol.41 No.6、松下電器産業株式会社、pp.67-74、Dec.1995
【発明の開示】
【発明が解決しようとする課題】
【００２０】
しかしながら、近年は光ピックアップの小型化のため、図７に示されるｆ２／ｆ１の値を減少させる方向にあることから、ｌ１の値が増加する方向にある。ここで、ｌ１：ｌ２＝ｆ１：ｆ２の関係から、ｌ１＝ｌ２×ｆ１／ｆ２であり、ｌ２は回折素子３０５の回折角によって定まる定数である。
【００２１】
ｌ１の値が増加すると、光ディスク上でのサブビームのビームスポットが、望ましい位置からずれやすくなる。
【００２２】
図１２（Ａ）、図１２（Ｂ）は、光ディスク上での、それぞれ内周及び外周におけるメインビームのビームスポット５０１、及び各サブビームのビームスポット５０２ａ、５０２ｂの配置を示す図である。図１２には、内周及び外周における光ディスクのトラック５０３の曲率の違いが表される。
【００２３】
ビームスポット５０２ａ、５０２ｂの望ましい位置は、トラックに相対的な位置、例えば前述したようにトラックの中心からトラック周期の１／４離れた位置、に定められるので、Ｙ方向の離間が大きいほど光ディスクの内周及び外周での曲率の違いの影響を大きく受け、ビームスポット５０２ａ、５０２ｂの望ましい位置からのずれが大きくなり、トラッキングエラー信号が劣化する。
【００２４】
そのため、ｌ１を小さくするためにはｌ２を小さくする必要があるが、ｌ２を小さくすると、受光素子上でのメインビーム及び各サブビームそれぞれのビームスポットが重なるクロストークが起こりやすくなるという問題がある。クロストークが起こると、フォーカスエラー信号、トラッキングエラー信号及び記録・再生信号の精度が劣化し、ついには情報の記録、再生が不可能になる。
【００２５】
図１３は、ｌ２が小さくなった場合のオンフォーカス状態における、受光素子３０３ａ、３０３ｂ上でのメインビーム及び各サブビームそれぞれの回折光のビームスポットを示す図である。ビームスポットの直径を２ｒに維持して、離間がｌ２よりも小さいｌ２’に縮まった結果、クロストークが起こっている様子が示される。
【００２６】
ここで、ｒを小さくすることは、フォーカスエラーを正しく検出するための組み立てマージンが小さくなるために難しい。
【００２７】
このように、ｌ２を小さくすることに対してクロストークを回避するための対策が何れも困難であることから、従来の光集積ユニットは良好なトラッキング信号を得るためにある程度ｌ２を大きくする必要があり、そのことが、光集積ユニットを小型化する上での制約となっている。
【００２８】
本発明は、上記の問題に鑑みてなされたものであり、３ビーム法によるトラッキング誤差検出機能を有し、かつ従来よりもｌ２を小さくしてもクロストークが起こりにくい光集積ユニットを提供することを目的とする。
【課題を解決するための手段】
【００２９】
上記課題を解決するため、本発明の光集積ユニットは、光ピックアップ装置に用いられる光集積ユニットであって、発光素子と、前記発光素子からの入射光を、それぞれ光ディスクへ投射される、メインビームと前記メインビームを挟む２つのサブビームとに分ける回折素子と、前記光ディスクからの前記メインビーム及び前記各サブビームそれぞれの反射光を回折するホログラム素子と、前記メインビームの前記ホログラム素子からの回折光を受光するメインビーム受光素子と、前記各サブビームの前記ホログラム素子からの回折光を受光するサブビーム受光素子とを備え、前記ホログラム素子は、前記ホログラム素子上での前記メインビーム及び前記各サブビームそれぞれのビームスポットを前記各サブビームが離間する方向に分割する境界線で、回折方向が異なる第１領域及び第２領域に区分され、前記第１領域及び前記第２領域には、それぞれの領域からの前記メインビームの回折光の前記メインビーム受光素子上でのビームスポットが重なると共に、それぞれの領域からの前記サブビームの回折光の前記サブビーム受光素子上でのビームスポットが重なるように、回折格子パタンが設けられる。
【００３０】
この構成によれば、前記メインビーム及び前記各サブビームそれぞれは、前記第１領域及び第２領域で分割され、分割部分ごとに異なる方向へ回折され、前記受光素子上で重ねられる。これにより、前記受光素子上でのビームスポットは各分割片が重なった形状となるので、その結果、各ビームスポットはサブビームが離間する方向に縮められ、クロストークが起こりにくくなる。
【００３１】
また、前記第１領域及び前記第２領域には、前記境界線に関して対称な円弧列のそれぞれ一方及び他方を用いた回折格子パタンが設けられるとしてもよく、また、前記第１領域及び前記第２領域には、２つの同一半径の円弧列のそれぞれ一方及び他方で表される回折格子パタンが設けられ、前記各円弧列に含まれる対応円弧は前記境界線に関して対称であるとしてもよく、また、前記第１領域及び前記第２領域には、２つの同心の円弧列のそれぞれ一方及び他方で表される回折格子パタンが設けられ、前記各円弧列に含まれる対応円弧は前記境界線に関して対称であるとしてもよい。
【００３２】
この構成によれば、具体的に、前記第１領域及び第２領域に設けられる円弧の法線方向を適切に選択することによって、前記メインビーム及び前記各サブビームそれぞれの分割部分を前記受光素子上で重ねることができる。
【００３３】
また、前記境界線は、前記各サブビームが離間する方向に垂直に定められるか、又は前記光ディスクのラジアル方向に定められるとしてもよい。
【００３４】
この構成によれば、ビームスポットの短縮方向が、前記メインビーム及び前記各サブビームの離間方向か、又はほぼ離間方向となるので、ビームスポットを短縮してクロストークを抑制する効果を大きくすることができる。
【００３５】
また、前記光集積ユニットは、スポットサイズディテクション法によるフォーカスエラー検出信号、及び３ビーム法によるトラッキングエラー検出信号のうち少なくとも一方を出力するとしてもよい。
【００３６】
この構成によれば、前述したクロストークが抑制される効果を受けて、高精度のフォースエラー信号及びトラッキングエラー信号を得ることができる。
【００３７】
また、本発明は、このような光集積ユニットとして実現することができるだけでなく、このような光集積ユニットを備える光ピックアップ装置として実現することもできる。
【発明の効果】
【００３８】
本発明の光集積ユニットによれば、受光素子上での各ビームスポットは、サブビームが離間する方向に分割された各分割片が重なった形状となって、サブビームが離間する方向に縮められるので、その結果小型化してもクロストークが起こりにくくなる。
【発明を実施するための最良の形態】
【００３９】
本発明の実施の形態に係る光集積ユニットは、スポットサイズディテクション法によるフォーカスエラー検出信号を出力すると共に、３ビーム法によるトラッキングエラー検出信号を出力する光集積ユニットである。この光集積ユニットは、図６に示される従来の光集積ユニット３００と同一の全体構成を有するが、従来のホログラム素子３０６に置き換えて、ホログラム素子上でのメインビーム及び各サブビームそれぞれのビームスポットを各サブビームが離間する方向に分割する境界線で、回折方向が異なる第１領域及び第２領域に区分される特徴的なホログラム素子が用いられる点で異なる。
【００４０】
この第１領域及び第２領域には、それぞれの領域からのメインビームの回折光の受光素子上でのビームスポットが重なると共に、それぞれの領域からのサブビームの回折光の受光素子上でのビームスポットが重なるように、固有の回折格子パタンが設けられる。
【００４１】
このような回折格子パタンによって、メインビーム及び各サブビームそれぞれの回折光の受光素子上でのビームスポットは分割されかつ重なるので、その結果、各ビームスポットはサブビームが離間する方向に縮められ、クロストークが起こりにくくなる。
【００４２】
図１は、本実施の形態に係るホログラム素子３０６ａに設けられる回折格子パタンの一例を示す図である。ホログラム素子３０６ａは、回折格子パタンの違いから、従来のホログラム素子３０６とは異なる符合で参照される。図１には、説明のため、受光素子上でのビームスポット８０１ａ、８０１ｂが示される。
【００４３】
ホログラム素子３０６ａは、ホログラム素子３０６ａ上でのメインビームのビームスポット２０１、及び各サブビームのビームスポット２０２ａ、２０２ｂのそれぞれを、サブビームが離間する方向に分割する境界線６０３で、第１領域６０１及び第２領域６０２に区分される。
【００４４】
第１領域６０１及び第２領域６０２のそれぞれの回折格子パタンは、境界線６０３に関して対称な円弧列の一方及び他方を用いて表される。このような回折格子パタンでは一般的に円弧の法線方向が回折方向となることから、第１領域６０１はメインビームの上半分２０１ａを紙面の左上及び右下方向へ回折し、第２領域６０２はメインビームの下半分２０１ｂを紙面の左下及び右上方向へ回折する。
【００４５】
また、第１領域６０１及び第２領域６０２には、従来と同様の収差を発生させるレンズ機能が与えられることによって、受光素子上でのビームスポット８０１ａは倒立像となり、受光素子上でのビームスポット８０１ｂは正立像となることに注意する。
【００４６】
従って、円弧の法線方向を適切に選択することによって、メインビームの回折光の受光素子上でのビームスポットを、図１に示されるように重ねることができる。このときの受光素子上でのビームスポットは、ホログラム素子３０６ａ上でのビームスポットの分割片である２つの半円形を重ねた形状となり、従来のビームスポットに比べて分割方向に短縮される。
【００４７】
各サブビームの受光素子上でのビームスポットもまた、分割され重ねられることによって、従来のビームスポットに比べて分割方向に短縮される（図示省略）。
【００４８】
ここで、ビームスポットを短縮してクロストークを抑制する最大の効果を得るために、境界線６０３をサブビームが離間する方向に垂直方向に定めてもよい。この方向は、光ディスクのラジアル方向にほぼ平行である。また、境界線６０３を、光ディスクのラジアル方向そのものに定めてもよい。
【００４９】
図２及び図３は、ホログラム素子３０６ａを用いた場合の、それぞれオンフォーカス状態及びデフォーカス状態における、受光素子３０３ａ、３０３ｂ上でのメインビームの回折光のビームスポット８０１、及び各サブビームそれぞれの回折光のビームスポット８０２ａ、８０２ｂを示す図である。
【００５０】
図２に示されるオンフォーカス状態では、ビームスポットのＹ方向の長さが、従来のビームスポットの直径２ｒから短縮されるので、ビームスポットの離間がｌ２’であってもクロストークは発生しない。
【００５１】
また、図３に示されるデフォーカス状態では、図に示されるように、ビームスポットの弦の位置はほぼ動かず円弧が中心に対して拡大、縮小する。そのため、通常の程度のデフォーカスでは半円形の重なりが増えるだけで、ビームスポットのＹ方向の長さは変わらない。このことからも、クロストークが起こりにくくなっていることが分かる。
【００５２】
ここで、図２と図１０とに示されるビームスポットの形状の対比から、ホログラム素子３０６ａを用いた場合のフォトダイオードＰＤ２及びＰＤ４に受光される光は、従来のホログラム素子３０６を用いた場合のフォトダイオードＰＤ３に受光される光に対応すると共に、ホログラム素子３０６ａを用いた場合のフォトダイオードＰＤ３に受光される光は、従来のホログラム素子３０６を用いた場合のフォトダイオードＰＤ２及びＰＤ４に受光される光に対応することに注意する。フォトダイオードＰＤ７〜ＰＤ９についても、同様の関係が成り立つ。
【００５３】
このことを考慮すれば、ホログラム素子３０６ａを用いた場合、従来と同等のフォーカスエラー検出信号ＦＥは、次の演算
ＦＥ＝（ＰＤ２＋ＰＤ４＋ＰＤ８）−（ＰＤ３＋ＰＤ７＋ＰＤ９）
ここで、ＰＤｎは同じ符号で表されるフォトダイオードから得られる信号の大きさ
によって得られる。
【００５４】
図４は、ホログラム素子３０６ａに設けられる回折格子パタンを詳細に説明する図である。第１領域６０１及び第２領域６０２には、２つの同一半径の円弧列のそれぞれ一方及び他方で表される回折格子パタンが設けられ、各円弧列に含まれる対応円弧は境界線６０３に関して対称である。図４に示される全ての円弧の半径は同一であり、代表的な一組の対応円弧が、境界線６０３に対称な中心及び同一の半径を持つことが示される。
【００５５】
なお、本発明のホログラム素子に設けられる回折格子パタンは、図２に示される回折格子パタンに限定されない。例えば、次のような回折格子パタンを用いて、同様の効果を得ることもできる。
【００５６】
図５は、ホログラム素子３０６ｂに設けられる回折格子パタンを詳細に説明する図である。第１領域７０１及び第２領域７０２には、２つの同心の円弧列のそれぞれ一方及び他方で表される回折格子パタンが設けられ、前記各円弧列に含まれる対応円弧は前記境界線に関して対称である。図５には、代表的な一組の対応円弧が、境界線７０３に対称な中心及び同一の半径を持つことが示される。
【００５７】
このような回折格子パタンを用いた場合にも、ビームスポットの分割と重ね合わせによるクロストークの抑制効果を得ることができる。
【産業上の利用可能性】
【００５８】
本発明に係る光集積ユニットは、広く光ディスクドライブ装置に利用でき、特に３ビーム法によるトラッキング誤差検出を行う小型化された光ピックアップへの利用に好適である。
【図面の簡単な説明】
【００５９】
【図１】実施の形態に係るホログラム素子に設けられる回折格子パタンの一例を示す図である。
【図２】実施の形態に係る、オンフォーカス状態における受光素子上でのビームスポットを示す図である。
【図３】実施の形態に係る、デフォーカス状態における受光素子上でのビームスポットを示す図である。
【図４】実施の形態に係るホログラム素子に設けられる回折格子パタンを詳細に説明する図である。
【図５】実施の形態に係るホログラム素子に設けられる他の回折格子パタンを詳細に説明する図である。
【図６】従来の典型的な光集積ユニットを用いた光学系の一例を示す模式図である。
【図７】従来の光学系を横方向から見た模式図である。
【図８】光ディスク上でのビームスポットの配置を示す図である。
【図９】従来のホログラム素子に設けられる回折格子パタンの一例を示す図である。
【図１０】オンフォーカス状態における受光素子上でのビームスポットを示す図である。
【図１１】デフォーカス状態における受光素子上でのビームスポットを示す図である。
【図１２】（Ａ）、（Ｂ）光ディスク上での、それぞれ内周及び外周におけるビームスポットの配置を示す図である。
【図１３】小型化が進んだ場合の受光素子上でのビームスポットを示す図である。
【符号の説明】
【００６０】
２０１、２０１ａ、２０１ｂ、２０２ａ、２０２ｂ  ビームスポット
２０３  回折格子パタン
３００  光集積ユニット
３０１  半導体基板
３０２  発光素子
３０３ａ、３０３ｂ  受光素子
３０４  回折及びホログラム素子
３０５  回折素子
３０６、３０６ａ、３０６ｂ  ホログラム素子
３０７  レンズ
３０８  光ディスク
３０９ａ、３０９ｂ  １次回折光
３１０、３１０ａ、３１０ｂ  サブビームの見かけの発光点
４０１、４０２ａ、４０２ｂ  ビームスポット
５０１、５０２ａ、５０２ｂ  ビームスポット
５０３、５０３ａ、５０３ｂ、５０３ｃ  トラック
６０１、７０１  第１領域
６０２、７０２  第２領域
６０３、７０３  境界線
８０１、８０１ａ、８０２ａ  ビームスポット
【図１】
2007048332.tif 000003
【図２】
2007048332.tif 000004
【図３】
2007048332.tif 000005
【図４】
2007048332.tif 000006
【図５】
2007048332.tif 000007
【図６】
2007048332.tif 000008
【図７】
2007048332.tif 000009
【図８】
2007048332.tif 000010
【図９】
2007048332.tif 000011
【図１０】
2007048332.tif 000012
【図１１】
2007048332.tif 000013
【図１２】
2007048332.tif 000014
【図１３】
2007048332.tif 000015